【手続補正書】
【提出日】令和3年3月9日(2021.3.9)
【手続補正１】
【補正対象書類名】特許請求の範囲
【補正対象項目名】全文
【補正方法】変更
【補正の内容】
【特許請求の範囲】
【請求項１】
基材上及び／又は基材内に水不溶性パターンを生成するための方法であって、以下のステップ：
（ａ）基材を提供するステップ；
（ｂ）カチオンを含む潮解性塩を提供するステップ；
（ｃ）量子ドットを提供するステップ；
（ｄ）アニオンを含む若しくはアニオンを形成することができる酸、又は前記アニオンを含むその塩を提供するステップであって、
前記潮解性塩及び前記酸又はその塩が、前記潮解性塩のカチオン及び前記酸又はその塩のアニオンが水不溶性塩を形成できるように選択される、ステップ；並びに
（ｅ）ステップ（ｂ）で提供される前記潮解性塩、ステップ（ｃ）で提供される前記量子ドット、及びステップ（ｄ）で提供される前記酸又はその塩を、前記潮解性塩、前記量子ドット、及び前記酸又はその塩が少なくとも部分的に接触して、前記基材上及び／又は基材内に少なくとも１つの水不溶性パターンを形成するように、ステップ（ａ）で提供される基材の少なくとも１つの表面領域に堆積させるステップであって、
（ｉ）前記潮解性塩及び前記量子ドットを、同時に堆積させ、又は（ｉｉ）前記潮解性塩及び前記量子ドットが、任意の順序で連続して堆積させる、ステップ
を含む、方法。
【請求項２】
（ｉ）前記潮解性塩及び前記量子ドットを、前記酸又はその塩を堆積させる前に、同時に堆積させ、又は（ｉｉ）前記潮解性塩及び前記量子ドットが、前記酸又はその塩を堆積させる前に、任意の順序で連続して堆積させる、請求項１に記載の方法。
【請求項３】
ステップ（ｂ）で提供される前記潮解性塩、ステップ（ｃ）で提供される前記量子ドット、及び／又はステップ（ｄ）で提供される前記酸又はその塩が、液体組成物の形態で提供される、請求項１又は２に記載の方法。
【請求項４】
前記液体組成物が、水性組成物である、請求項３に記載の方法。
【請求項５】
ステップ（ｂ）で提供される前記潮解性塩及びステップ（ｃ）で提供される前記量子ドットが、単一の液体組成物で一緒に提供され、前記潮解性塩及び前記量子ドットを、同時に堆積させる、請求項１〜４のいずれか一項に記載の方法。
【請求項６】
ステップ（ｂ）で提供される前記潮解性塩及びステップ（ｃ）で提供される前記量子ドットが、単一の液体組成物で一緒に提供され、前記潮解性塩及び前記量子ドットを、酸又はその塩を堆積させる前に、同時に堆積させる、請求項１〜４のいずれか一項に記載の方法。
【請求項７】
前記基材が、第１の面及び裏面を有する平面状基材であり、
（ｉ）ステップ（ｂ）で提供される前記潮解性塩、ステップ（ｃ）で提供される前記量子ドット、及びステップ（ｄ）で提供される前記酸又はその塩を、前記基材の前記第１の面に堆積させる、又は
（ｉｉ）ステップ（ｂ）で提供される前記潮解性塩、ステップ（ｃ）で提供される前記量子ドット、及びステップ（ｄ）で提供される前記酸又はその塩を、前記基材の前記裏面に堆積させる、
請求項１〜６のいずれかに記載の方法。
【請求項８】
前記基材が、第１の面及び裏面を有する平面状基材であり、
（ｉ）ステップ（ｂ）で提供される前記潮解性塩及びステップ（ｃ）で提供される前記量子ドットを、前記基材の前記第１の面に堆積させ、且つステップ（ｄ）で提供される前記酸を、前記基材の前記裏面に堆積させる、又は
（ｉｉ）ステップ（ｄ）で提供される前記酸又はその塩を、前記基材の前記第１の面に堆積させ、且つステップ（ｂ）で提供される前記潮解性塩及びステップ（ｃ）で提供される前記量子ドットを、前記基材の前記裏面に堆積させる、
請求項１〜６のいずれかに記載の方法。
【請求項９】
前記方法が、ステップ（ｂ）で提供される前記潮解性塩を堆積させた後、ステップ（ｃ）で提供される前記量子ドットを堆積させた後、及び／又はステップ（ｄ）で提供される前記酸又はその塩を堆積させた後に、前記基材を乾燥させるステップをさらに含む、請求項１〜８のいずれかに記載の方法。
【請求項１０】
前記潮解性塩が、塩素酸塩、硫酸塩、ハロゲン化物、硝酸塩、カルボン酸塩並びにそれらの混合物及び水和物からなる群から選択される、請求項１〜９のいずれかに記載の方法。
【請求項１１】
前記量子ドットが、
（ｉ）金属ベースの量子ドット；
（ｉｉ）炭素量子ドット；
（ｉｉｉ）ペプチドベースの量子ドット；
及び上記のいずれかの混合物から選択される、請求項１〜１０のいずれかに記載の方法。
【請求項１２】
（ｉ）金属ベースの量子ドットが、ＣｄＴｅ量子ドットである、請求項１１に記載の方法。
【請求項１３】
前記酸が、塩酸、硫酸、亜硫酸、リン酸、シュウ酸、酒石酸、炭酸及びそれらの混合物からなる群から選択される、請求項１〜１２のいずれかに記載の方法。
【請求項１４】
（ｉ）前記潮解性塩が、それぞれ前記液体組成物の総重量に基づいて、０．１〜１００重量％の量で前記液体組成物中に存在し；
（ｉｉ）前記量子ドットが、それぞれ前記液体組成物の総重量に基づいて、２０〜０．０００１重量％の量で前記液体組成物中に存在し；及び／又は
（ｉｉｉ）前記酸又はその塩が、それぞれ前記液体組成物の総重量に基づいて、０．１〜１００重量％の量で前記液体組成物中に存在する、
請求項３〜１３のいずれかに記載の方法。
【請求項１５】
（ｉ）前記潮解性塩が、それぞれ前記液体組成物の総重量に基づいて、１〜８０重量％の量で前記液体組成物中に存在し；
（ｉｉ）前記量子ドットが、それぞれ前記液体組成物の総重量に基づいて、５〜０．００１重量％の量で前記液体組成物中に存在し；及び／又は
（ｉｉｉ）前記酸又はその塩が、それぞれ前記液体組成物の総重量に基づいて、１〜８０重量％の量で前記液体組成物中に存在する、
請求項３〜１３のいずれかに記載の方法。
【請求項１６】
前記潮解性塩が塩化カルシウムであり、前記量子ドットがＣｄＴｅ量子ドットであり、及び前記酸がリン酸である、請求項１〜１５のいずれかに記載の方法。
【請求項１７】
前記基材が、紙、厚紙、ボール紙、プラスチック、セロファン、テキスタイル、木材、金属、ガラス、マイカプレート、セルロース、ニトロセルロース、綿、大理石、方解石、天然石、複合石、レンガ、コンクリート、タブレット、キャンバス、ヒト又は動物起源の天然素材及びそれらの積層体又は複合材料を含む群から選択される、請求項１〜１６のいずれかに記載の方法。
【請求項１８】
ステップ（ｂ）で提供される前記潮解性塩、ステップ（ｃ）で提供される前記量子ドット、及び／又はステップ（ｄ）で提供される前記酸又はその塩を、電子シリンジ分注、スプレーコーティング、インクジェット印刷、オフセット印刷、フレキソ印刷、スクリーン印刷、プロット、コンタクトスタンピング、グラビア印刷、パウダーコーティング、スピンコーティング、リバースグラビアコーティング、スロットコーティング、カーテンコーティング、スライドベッドコーティング、フィルムプレス、メタリングフィルムプレス、ブレードコーティング、ブラシコーティング及び／又はペンシルペンシルによって堆積させる、請求項１〜１７のいずれかに記載の方法。
【請求項１９】
前記水不溶性パターンが、チャネル、バリア、一次元バーコード、二次元バーコード、三次元バーコード、セキュリティマーク、数字、文字、英数字記号、テキスト、ロゴ、画像、点字マーキング、形状、デザイン又はそれらの組み合わせである、請求項１〜１８のいずれかに記載の方法。
【請求項２０】
請求項１〜１９のいずれかに記載の方法により得ることができる水不溶性パターンを含む基材。
【請求項２１】
請求項２０に記載の水不溶性パターンを含む基材を備える製品であって、前記製品が、バイオアッセイ用ツール、マイクロ流体デバイス、ラボオンチップデバイス、紙ベースの分析及び／若しくは診断ツール、分離型プラットフォーム、印刷媒体、包装材料、データ記憶装置、セキュリティ文書、非セキュア文書、装飾用基材、薬物、タブレット、ピル、タバコ製品、ボトル、衣服、容器、スポーツ用品、玩具、ゲーム、携帯電話、ＣＤ、ＤＶＤ、ブルーレイディスク、機械、工具、自動車部品、ステッカー、ラベル、タグ、ポスター、パスポート、身分証明書、運転免許証、銀行カード、クレジットカード、債券、チケット、バウチャー、切手、納税印紙、紙幣、証明書、ブランド認証タグ、名刺、グリーティングカード、触覚文書又は壁紙である、製品。
【請求項２２】
印刷用途、分析用途、診断用途、バイオアッセイ、化学用途、電気用途、セキュリティデバイス、オバート又はコバートのセキュリティ要素、ブランド保護、マイクロレタリング、マイクロイメージング、装飾的、芸術的若しくは視覚的な用途又は包装用途における請求項２０に記載の水不溶性パターンを含む基材の使用。
【請求項２３】
基材上及び／又は基材内に水不溶性パターンを生成するための印刷インクセットであって、
（ｉ）カチオンを含む潮解性塩を含有する第１のセット要素；
（ｉｉ）量子ドットを含有する第２のセット要素；及び
（ｉｉｉ）アニオンを含む若しくはアニオンを形成することができる酸、又は前記アニオンを含むその塩を含有する第３のセット要素；
を含み、前記潮解性塩及び前記酸又はその塩が、前記潮解性塩のカチオン及び前記酸又はその塩のアニオンが水不溶性塩を形成できるように選択されることを特徴とする、印刷インクセット。
【請求項２４】
基材上及び／又は基材内に水不溶性パターンを生成するための印刷インクセットであって、
（ｉ）カチオンを含む潮解性塩及び量子ドットを含有する第１のセット要素；並びに
（ｉｉ）アニオンを含む若しくはアニオンを形成することができる酸、又は前記アニオンを含むその塩を含有する第２のセット要素；
を含み、前記潮解性塩及び前記酸又はその塩が、前記潮解性塩のカチオン及び前記酸又はその塩のアニオンが水不溶性塩を形成できるように選択されることを特徴とする、印刷インクセット。